(57)【要約】      （修正有）【課題】使用液体を節約し、目的効果を大きく作用させる回転噴霧散水ノズルを提供する。【解決手段】使用材料の価格を低く、しかも容易に製作可能とした、なべ頭螺子ノズル１を使用し、通常水圧で扇状に拡散させ噴霧、散水で放出し、放出方向は自由に可変可能とし、大きな効果と用途目的を拡大した。【選択図】図３
0003103762.tif 000002
【実用新案登録請求の範囲】
【請求項１】
通液管もしくは通水管にあけたねじ切り小孔より、噴霧もしくは散水する装置において、液体を噴霧散水するねじ切り小孔には、ねじ山部分を平らに削り取られた、なべ頭螺子を使用し、ねじ込みながら取り付け、ねじ切小孔となべ頭螺子の間にできた隙間より液体が通過し、通過した液体はなべ頭螺子の裏面である図２の１０水平半丸面に衝突し、前方向へ水平に近い角度で扇状に拡散され、さらに噴霧状態で飛び散るのを特徴とする回転噴霧散水螺子ノズル。
【請求項２】
上記の請求項１においてねじ切小孔の直径は６ｍｍ〜８ｍｍで、ねじ切り小孔の取り付け間隔は広い距離でも効果的で、使用螺子は既存のなべ頭螺子類又、ねじ山部分を一部削り取るだけの簡単な作業ですむことから、誰にでも容易に製作ができ、費用に関しては低い価格と、材料入手が容易であることを特徴とする。
【請求項３】
請求項１及び請求項２において、なべ頭螺子ノズルから噴霧散水させる液体としては、液体の中でも特に水がより良く理想的に扇状態で拡散し、噴霧状に飛び散るので消雪、融雪かつ散水に有効とし又、飛び散る方向は螺子回しドイバーを使い、なべ頭螺子の上部で操作し、噴霧散水方向は３６０度回転させることができ、任意の方向へかえることができ、放水が噴霧状態で、なべ頭螺子ノズルの設置間隔が広いので、使用水量の節約効果を最大にしたのを特徴とする。
【考案の詳細な説明】
【技術分野】
【０００１】  本考案は既存のなべ頭螺子を加工応用し、誰でも容易に製作でき、使用液体を有効かつ広面積に対し、効力を作用させ効果面積を考慮した多目的噴霧散水螺子ノズルに関するものである。
【背景技術】
【０００２】  液体の中でも特に水を利用した消雪又は、融雪かつ散水などを行う装置では通常の水圧で機械力を用いないで使用する場合、通水管に対し斜め角度に数ミリの小孔をあけて、その小孔より放水し消雪又は、融雪かつ放水を行うもので、放水落下地点周辺部分の効果および放水の行き先方向が一定なものとして実用に共されている。
実用の放水方法は製作が容易で一般に広く利用されていて、放水の落下地点周辺部分の一定な床面に対し効果が十分であった。【０００３】  しかし効果の方向を変えようとしても、決められた方向の放水では落下地点部分以外の床面に対し効果を与えることができない又、効果面積を広げようとするには放水孔の間隔決定が難しいという欠点があった。【０００４】  通常、効果面積を広げようとするには、高価で複雑な構造の装置を専門業に依頼をして設置する必要性が発生するため、一般に広く採用されない問題点などがあった。【０００５】  この改善策として、移動式で軟質材の通水管に放水孔が取り付けられた装置を使用し、効果状況に合わせながら、人為的に移動させ放水し、消雪又は、融雪かつ散水を行う方法はあるが、放水時間の判断と移動に対する労力の負担が大きく、効果が低い。
【考案の開示】
【考案が解決しようとする課題】
【０００６】  解決しようとする問題点は、最少の使用液体で最大の効果と最少の経費効果の点である。【０００７】  本考案は液体の放出を噴霧状態に拡散し、放出方向を容易にかえることによって、より大きい効果を発生させることを最も主要な特徴とする。
【考案の効果】
【０００８】  本考案の回転噴霧散水螺子ノズルは、一般的に容易かつ安価で製作可能な、噴霧、散水装置であることと、既存の通水管にも設置可能などの利点がある。
【考案を実施するための最良の形態】
【０００９】  回転噴霧散水螺子ノズルの取り付け位置は、拡散状況に合わせて間隔を考慮し、なべ頭螺子の螺子山径寸法は、放出圧力の低下を抑制しながら効果的噴霧を損なわずに実現した。
【実施例１】
【００１０】  図１は、本考案装置の１実施例の平面図であって、１はなべ頭螺子を示し、２は、通水管を示す。又、５はなべ頭螺子ノズルの取り付け寸法間隔を示し、使用液体を水とした場合、従来の小孔取り付け寸法間隔に比べ４倍から５倍広げた８０センチメートルの設置間隔寸法であり、使用目的により取り付け間隔寸法は考慮する。【００１１】  なべ頭螺子ノズルから扇状に噴霧散水で放出されたのを６が示し、なべ頭螺子ノズルの上部に取り付けられた回し受け４を利用し、手回しドライバーを使い液体の放出方向を３６０度回転が可能で、水平に近い方向で自由自在に変えることができる。【００１２】  図２は、加工したなべ頭螺子ノズルを示す立面図で、使用液体が水と考えた場合、液体の通路として、３は、螺子山直径の３０％を平滑に削り取る。削る方向は直線で良く又、なべ頭螺子ノズルのなべ頭寸法８は，螺子山直径寸法９の７０％を液体の衝突面にすると効果的に液体の放出距離を飛ばすことができる。【００１４】  図３は、なべ頭螺子ノズルを、通液管に螺子受け加工した小孔へ、ねじ込み取り付けられた状態を示すもので、螺子山部分の削り取られた液体通路が３で、加圧液体が押し上げられ、なべ頭螺子の裏部分で水平丸面１０に衝突し前方へ噴霧状態で放出するのが６であることを示し、放出液体が均一に扇状態で拡散され噴霧状に飛び散るので、広い面積に対し効果的で又、使用液体の節約におおいに役立つ。
使用液体は特に水が効果的ではあるが、多用途の液体に利用も大いに適用できる。
【産業上の利用可能性】
【００１５】  なべ頭螺子ノズルの製作に関して，不特定で容易に製作可能又、既存品の組み合わせによるものなので、使用材料の価格は低く、効果は大きく、利用範囲は多用途に考えることができる。
【図面の簡単な説明】
【００１６】
【図１】液通管になべ頭螺子ノズルを取り付け、上面から観た説明図
【図２】なべ頭螺子ノズルの削り加工した立面の説明図
【図３】液通管になべ頭螺子ノズルを取り付けた断面の説明図
【符号の説明】
【００１７】１  なべ頭螺子ノズル
２  液通管
３  液体案内通路
４  なべ頭螺子ノズルの取り付け及び回転調整操作部
５  なべ頭螺子ノズルの設置間隔
６  噴霧散水の放出状況
７  なべ頭螺子ノズルの取り付け用螺子山
８  なべ頭螺子ノズルのなべ頭径
９  なべ頭螺子ノズルの螺子山径
１０  なべ頭螺子ノズルのなべ頭裏面
【図１】
0003103762.tif 000003
【図２】
0003103762.tif 000004
【図３】
0003103762.tif 000005
【手続補正書】
【提出日】平成16年3月18日(2004.3.18)
【手続補正１】
【補正対象書類名】実用新案登録請求の範囲
【補正対象項目名】全文
【補正方法】変更
【補正の内容】
【実用新案登録請求の範囲】
【請求項１】
通液管もしくは通水管にあけたねじ切り小孔より、噴霧もしくは散水する装置において、液体を噴霧散水するねじ切り小孔には、ねじ山部分を平らに削り取られた、なべ頭螺子を使用し、ねじ込みながら取り付け、ねじ切小孔となべ頭螺子の間にできた隙間より液体が通過し、通過した液体はなべ頭螺子の裏面である図２の１０水平半丸面に衝突し、前方向へ水平に近い角度で扇状に拡散され、さらに噴霧状態で飛び散るのを特徴とする回転噴霧散水螺子ノズル。
【請求項２】
上記の請求項１においてねじ切小孔の直径は６ｍｍ〜８ｍｍで、ねじ切り小孔の取り付け間隔は広い距離でも効果的で、使用螺子は既存のなべ頭螺子類又、ねじ山部分を一部削り取るだけの簡単な作業ですむことから、誰にでも容易に製作ができ、費用に関しては低い価格と、材料入手が容易であることを特徴とする回転噴霧散水ノズル。
【請求項３】
請求項１及び請求項２において、なべ頭螺子ノズルから噴霧散水させる液体としては、液体の中でも特に水がより良く理想的に扇状態で拡散し、噴霧状に飛び散るので消雪、融雪かつ散水に有効とし又、飛び散る方向は螺子回しドイバ−を使い、なべ頭螺子の上部で操作し、噴霧散水方向は３６０度回転させることができ、任意の方向へかえることができ、放水が噴霧状態で、なべ頭螺子ノズルの設置間隔が広いので、使用水量の節約効果を最大にしたのを特徴とする回転噴霧散水ノズル。